(57)【要約】【課題】受動型の放射線線量計において、放射線の照射角度依存性を小さく抑えることができる放射線線量計の提供を目的とする。【解決手段】基材の上面側に放射線検出素材を積層した積層体からなる素子であり、前記積層体は中央部側に切抜き部を形成してあることを特徴とする。【選択図】  図１
2020076729.tif 000002
【特許請求の範囲】
【請求項１】
基材の上面側に放射線検出素材を積層した積層体からなる素子であり、
前記積層体は中央部側に切抜き部を形成してあることを特徴とする放射線線量計。
【請求項２】
前記切抜き部に、基材の下側に放射線検出素材を積層した反転型の積層部材を配置してあることを特徴とする請求項１記載の放射線線量計。
【請求項３】
前記切抜き部の形状は略円形状であることを特徴とする請求項２記載の放射線線量計。
【請求項４】
前記積層体は外形が略円形状であることを特徴とする請求項１〜３のいずれかに記載の放射線線量計。
【発明の詳細な説明】
【技術分野】
【０００１】
本発明は、放射線による被ばく線量を測定及び管理するための個人被ばく線量計や、環境の放射線測定に用いられる環境放射線線量計等の放射線線量計に関する。
【背景技術】
【０００２】
放射線の線量計としては、ガラス線量計（ＲＰＬＤ：Radio Photo Luminescence Dosimeter），熱ルミネセンス線量計（ＴＬＤ：Thermo Luminescence Dosimeter），光刺激ルミネセンス線量計（ＯＳＬＤ：Optically Stimulated Luminescence Dosimeter）等が提案されている。
【０００３】
ガラス線量計は、銀活性化リン酸塩ガラスに放射線を照射し、その後に紫外線で刺激すると、照射された放射線量に比例した蛍光が発する性質を利用したものである。
熱ルミネセンス線量計は、硫酸カルシウム等の結晶の蛍光物質（ＴＬ素子）に熱を加えると、吸収された放射線量に比例して発光する性質を利用したものである。
これらに対して、光刺激ルミネセンス線量計は、放射線や紫外線を照射すると発生する蛍光が短時間に減衰するが、その後に光を当てると新たな強い蛍光を発する性質（光刺激ルミネセンス：ＯＳＬ）を利用したものであり、例えばＯＳＬ素子として利用されている炭素添加α酸化アルミニウムは、高い硬度と物理的安定性に優れ、熱によるフェーディングが小さい特徴を有している。
【０００４】
これまでに、ＴＬ素子やＯＳＬ素子としては、例えば図９に示すように円盤型のディスク形状をしており、ＯＳＬ素子で説明すると、ポリエチレンテレフタレート（ＰＥＴ）等の樹脂からなる基材１１１に、炭素添加α酸化アルミニウム（α−Ａｌ２Ｏ３：Ｃ）等の放射線検出素材を担持させていた。
本発明者らの調査によれば、図５に示すように素子の表面に直交するように照射された放射線（Ｘ線）の実効エネルギーに対して、素子を横方向から透過する際の実効エネルギーがビームハードニング効果（線質硬化現象）により高くなることで、放射線検出素材に対する感度が変化し、結果としてエネルギー特性に差を生じさせることが明らかになった。
【０００５】
特許文献１には、ＯＳＬセンサを備えた放射線線量計が開示されているが、同公報に記載されているＯＳＬ素子も円盤型のディスク形状となっている。
【先行技術文献】
【特許文献】
【０００６】
【特許文献１】特表２０１３−５１７４７０号公報
【発明の概要】
【発明が解決しようとする課題】
【０００７】
本発明は、受動型の放射線線量計において、従来の円盤型のディスク形状の放射線線量計と同等の検出効率を確保しつつ、放射線の照射角度依存性が改善された放射線線量計の提供を目的とする。
また、放射線の照射角度依存性の改善効果が高い簡易的な構造の放射線線量計の提供も目的とする。
【課題を解決するための手段】
【０００８】
本発明に係る放射線線量計は、基材の上面側に放射線検出素材を積層した積層体からなる素子であり、前記積層体は中央部側に切抜き部を形成してあることを特徴とする。
ここで基材は、放射線の検出に用いる蛍光物質（放射線検出素材）を保持するための基材をいい、ガラス又は各種樹脂製のシート材が使用されている。
基材の上面側に放射線検出素材を積層することで、放射線の線量計素子となる。
積層体の中央部側に切抜き部を設けることで、斜めあるいは横方向から照射される放射線のビームハードニング効果を抑える趣旨である。
例えば、円盤型のディスク形状の積層体の中央部側に切抜き部を設けることができる。
このような現象は、線量計の原理に関係なく認められることから、本発明に係る素子はガラス線量計用の素子，ＴＬ素子，ＯＳＬ素子のいずれであってもよい。
【０００９】
ここで、中央部側の切抜き部に、基材の下面側に放射線検出素材を積層した反転型の積層部材（必要に応じて上面側に放射線検出素材を積層したものと区別するために反転積層部材と表現する。）を配置してもよい。
上面側及び下面側と表現したのは、放射線検出素材層が相互に反転使用されていることを示す趣旨である。
外形や切抜き部の形状に制限がない。
これまでに市販されている線量計に合せて使用しやすい観点からは、素子の外形は略円形状であるのが好ましく、切抜き部の形状が略円形状であってよい。
ここで略円形状と表現したのは、外形に多少の凹凸を有するものや、楕円形状も含まれる趣旨である。
【発明の効果】
【００１０】
本発明に用いられる素子（積層体）は、中央部に切抜き部を形成したので、放射線の照射角にずれがあっても、その影響を小さく抑えることができるので、放射線量を正しく測定することが可能となる。
ここで、この切抜き部に放射線検出素材の積層面を反転させた反転積層部材を嵌合配置することで、切抜き部による検出効率の低下を解消することができる。
これにより、本発明の第１の目的である放射線の照射角度依存性を改善しつつ、検出効率を円盤型のディスク形状と同等にすることができる。
また、本発明に係る線量計は、例えば個人被ばく線量計に用いることもでき、その被ばく管理の精度が向上する。
【図面の簡単な説明】
【００１１】
【図１】実施例１：本発明をＯＳＬ素子に適用した例を示し、（ａ）は平面図、（ｂ）は斜視図を示す。
【図２】円環形状の製造例を示す。
【図３】（ａ），（ｂ）は市販されている線量計に適用した例を示す。
【図４】実施例１と従来品の放射線の角度依存性の評価結果を示す。
【図５】放射線の照射角度依存性の説明図を示す。
【図６】実施例２として実施例１の切抜き部に切抜いた積層体を反転させて嵌合した例を示す。
【図７】放射線量の角度依存性を比較したグラフを示す。
【図８】放射角度９０°における検出効率を比較したグラフを示す。
【図９】従来の素子の形状例を示す。
【発明を実施するための形態】
【００１２】
本発明に係る線量計に用いられる素子の構造例を、以下添付した図面に基づいて説明する。
実施例１は、円環形状の積層体からなる素子１０の例を示し、図１（ａ）に平面図、（ｂ）に斜視図を示す。
ＰＥＴ等の樹脂製の基材１１の表面に、炭素添加α酸化アルミニウム等の放射線検出素材１２を塗布することで、担持させている。
必要に応じて、薄い保護膜１３を形成する。
素子１０は、中央部側に貫通した切抜き部１４を形成することで、円環形状になっている。
この放射線検出素材１２の担持方法に制限はない。
【００１３】
このような素子１０は、図２に示すようにシート材Ｓを円盤状Ｓ１に打ち抜き、さらに中央部を円孔に打ち抜くことで、切抜き部１４を形成することができる。
本実施例に係る素子１０は、図３（ａ），（ｂ）に示すように市販されている線量計の素子１０として使用できる。
（ａ）はケース体１に装着可能にした例であり、（ｂ）はフィルタを組み込んだスライドケース体２に複数の素子１０を装着する例である。
【００１４】
図４は、本発明に係る円環状の素子（Ａ）と、従来の円盤状の素子（Ｂ）との放線量の角度依存性を比較評価したグラフを示す。
評価に用いた素子は、いずれも外形Ｄ＝５ｍｍ，厚み０．２ｍｍのシート材であり、本発明に係る素子は、内側を内径ｄ＝３ｍｍの円孔に切り抜いたものである。
図４に示したグラフは、素子の表面に直交する方向に放射線を照射した照射角度を０°として、素子の横方向から照射した場合を９０°として相対的な検出応答を示したものである。
グラフ中に示した点線は、シミュレーション結果であり、０°のときの検出応答を１として、角度依存性を数値化したものである。
グラフ中に「●」，「○」で示した値は、実験データである。
実施例１「Ａ」と従来品「Ｂ」を比較すると、素子の表面と平行な横方向から照射した９０°での応答の低下が本発明の方が小さく、照射角度に対する依存性が従来品より優れていることが分かる。
【００１５】
図６は実施例２として、実施例１と同様に切抜いた円形の積層体を上下に反転させて反転型の積層部材（反転積層部材）にして、この切抜き部に挿入した例であり、その断面図を図６（ｃ）に示す。
反転型の積層部材の外径はｄ＝３ｍｍ、素子全体の外径は５ｍｍであり、厚み０．２ｍｍのシート材を用いて作成してある。
なお、基材１１の厚みに対して放射線検出素材の厚みは同等又はそれ以下となっている。
よって、図６（ｃ）に示した断面図から分かるように、相対的に円環部は上部側に放射線検出素材を有し、反転させた円盤状の反転積層部材は、下部側にこの放射線検出素材を有する。
なお、どちら側を上にして使用してもよい。
このようにした素子の角度依存性を比較したのが、図７に示したグラフである。
また、図８に放射角９０°における検出効率を比較したグラフを示す。
図７のグラフは、点線がシミュレーション結果で●印が実験データを示す。
実施例２は、円環状の実施例１と同様に角度依存性が改善されているとともに、図８に示すように照射角度９０°においても検出効率は、従来品レベルまで改善されていた。
【符号の説明】
【００１６】
１０      素子
１１      基材
１２      放射線検出素材
１３      保護膜
１４      切抜き部
【図１】
2020076729.tif 000003
【図２】
2020076729.tif 000004
【図３】
2020076729.tif 000005
【図４】
2020076729.tif 000006
【図５】
2020076729.tif 000007
【図６】
2020076729.tif 000008
【図７】
2020076729.tif 000009
【図８】
2020076729.tif 000010
【図９】
2020076729.tif 000011